(57)【要約】      （修正有）【課題】敷き寝具に対する上掛け寝具の位置ズレを効果的に防止できると共に敷き具に上掛け寝具を簡単に固定できる、上掛け寝具の位置ズレ防止装置を提供する。【解決手段】上掛け寝具のズレ防止装置は、上掛け寝具３とズレ防止具１０と対を成す２つのスナップホック１とスナップホック２によって構成されている。上掛け寝具３とズレ防止具１０の間に敷き寝具を挿入させると、ズレ防止具１０のズレ防止帯が敷き寝具の厚さだけ伸び弾性が生じる。この弾性を利用して上掛け寝具３の位置ズレを防止する。【選択図】図４
0003225081.tif 000002
【実用新案登録請求の範囲】
【請求項１】
上掛け寝具のズレを防止する装置に関して、当該装置は上掛け寝具と伸縮自在なズレ防止帯を有するズレ防止具と、対を成す２個のスナップホックによって構成されている、対を成す２つのスナップホックの一方を上掛け寝具の中央足元付近に左右一定の間隔で装設し、スナックホックの他方をズレ防止具の両端に上掛け寝具に装設されたスナップホックの位置と同間隔で装設する、上掛け寝具とズレ防止具に装設されている２対のスナップホックを勘合させる事で上掛け寝具とズレ防止具は連結し当該装置を構成する、当該装置の上掛け寝具とズレ防止具の間に敷き寝具を挿入させ半固定させると、敷き寝具の厚みによってズレ防止具のズレ防止帯が伸びズレ防止帯に一定の弾性が生じる、この弾性によって敷き寝具に締め付けの圧を加える事ができ、上掛け寝具と敷き寝具とのズレを防止することを可能にした装置。
【請求項２】
請求項１のズレ防止具のズレ防止帯の長さを延長し、延長したズレ防止帯の
両端付近にスナップホックを増設し、増設したスナップホックの勘合及び解除によりズレ防止帯の有効長の長さの調節を可能にし、ベッドのマットレス等の様に厚さの厚い敷き寝具にも対応ができる機能を持たせたズレ防止具。
【請求項３】
請求項１のズレ防止具のズレ防止帯の長さを延長し、延長したズレ防止対の中央部に２対のスナップホックを増設し、スナップホックの勘合及び解除により、ズレ防止具の有効長の長さの調節を可能にし、ベッドのマットレス等の様に厚さの厚い敷き寝具にも対応ができる機能を持たせたズレ防止具。
【請求項４】
請求項１のズレ防止具のズレ防止帯の長さを延長し、延長したズレ防止帯の中央部に１対のスナップホックを増設し、スナップホックの勘合及び解除により、ズレ防止具の有効長の長さの調節を可能にし、ベッドのマットレス等の様に厚さの厚い敷き寝具にも対応ができる機能を持たせたズレ防止具。
【考案の詳細な説明】
【技術分野】
【０００１】
本考案は、就寝時に上掛け布団やタオルケットや毛布等の上掛け寝具が、敷き布団やベッドマットレス等の敷き寝具に対して位置ズレを防止するための、寝具のズレ防止に関する。
【背景技術】
【０００２】
敷き布団やベッドマットレス等の敷き寝具と、上掛け布団や毛布やタオルケット等の上掛け寝具は、就寝時の寝返りや寝相によって、上掛け寝具が引っ張られたり、めくれたり、丸まったりして、敷き寝具に対して上掛け寝具が位置ズレしてしまうことが多く、寝冷えや安眠の妨げになるという問題が有った。このような上掛け寝具の位置ズレを防止するために様々なものが提案されている、たとえば下記特許文献１は上掛け寝具と固定台とをファスナーによる連結方法であり、また特許文献３のズレ防止方法は留め具が４箇所ありこの留め具によって、上掛け寝具と敷き寝具とを固定する方法と記載されている。
【先行技術文献】
【特許文献】
【０００３】
【特許文献１】特開2012-135355
【特許文献２】意匠登録1638479
【特許文献３】実用新案登録第3153540号（U3153540）
【考案の概要】
【考案が解決しようとする課題】
【０００４】
敷き寝具と上掛け寝具との位置ズレを防止するために敷き寝具と上掛け寝具とを紐で結んで固定する方法やファスナーやボタンを使用した方法が有る、ベッドメーキングは主婦にとっては毎日の作業であり、もっと簡単な方法でベットメーキングが出来る方法が望まれていた。
【課題を解決するための手段】
【０００５】
本考案者は、前記目的を達成すべく検討を重ねた結果、平ゴムを利用してゴムの弾性を応用すれば敷き寝具に対する締め付けが出来、上掛け寝具の位置ズレは防止できることを見出し本考案に達した。
【考案の効果】
【０００６】
本考案によれば、上掛け寝具ズレ防止装置の上掛け寝具とズレ防止具の間に敷き寝具を挿入させる簡単な方法で、ズレ防止具のズレ防止帯の弾性によって上掛け寝具の位置ズレを防止できた。
【図面の簡単な説明】
【０００７】
【図１】請求項１の上掛け寝具とズレ防止具の連結前を示す装置の背面斜視図。
【図２】請求項１の上掛け寝具とズレ防止具の連結後を示す装置の背面斜視図。
【図３】（ａ）は請求項１の上掛け寝具ズレ防止装置の正面図,（ｂ）はイ部拡大図。
【図４】請求項１の上掛け寝具ズレ防止装置の側面図
【図５】請求項１のズレ防止具１０の展開図で（ａ）は平面図、（ｂ）は側面、（ｃ）          は背面図、（ｄ）は側面図。
【図６】（ａ）は請求項１のズレ防止具10平面斜視図、（ｂ）はズレ防止具10のA-              A’部の拡大断面図。
【図７】請求項２のズレ防止装置のズレ防止具１１の展開図、（a）は平面図、（ｂ）          は正面図、(ｃ）は背面図、（ｄ）は側面図。
【図８】（ａ）は請求項２のズレ防止具１１の平面斜視図、（ｂ）はＢ−Ｂ′部拡大断面          図。
【図９】請求項３のズレ防止具１２の展開図で、（ａ）は平面図、（ｂ）は正面図、          （ｃ）は背面図、（ｄ）は側面図
【図１０】（ａ）は請求項３のズレ防止具１２の平面斜視図、（ｂ）はＣ−Ｃ′部分拡大        断面図。
【図１１】請求項４のズレ防止具１３展開図で、（a）は平面図、（ｂ）は正面図、          （ｃ）は平面図、（ｄ）は側面図。
【図１２】（ａ）は請求項４のズレ防止具１３の平面斜視図、（ｂ）はＤ−Ｄ′部拡大断        面図。
【図１３】請求項１の上掛け寝具ズレ防止装置を敷き寝具に装着した状態を示す背面斜        視図。
【図１４】請求項２の上掛け寝具ズレ防止装置を敷き寝具に装着した状態を示す背面斜        視図。
【図１５】請求項３の上掛け寝具ズレ防止装置を敷き寝具に装着した状態を示す背面斜        視図。
【図１６】請求項４の上掛け寝具ズレ防止装置を敷き寝具に装着した状態を示す背面斜        視図。
【考案を実施するための最良の形態】
【０００８】
本考案は上掛け寝具の敷き寝具に対する位置ズレを防止する装置であって、当該装置は上掛け寝具上に装設されたスナップホックとズレ防止具に装設されているスナップホックとの勘合によって連結され装置が形成されている、上掛け寝具とズレ防止具の間に敷き布団を挿入させ、敷き寝具の厚さにより上掛け寝具に連結しているズレ防止具のズレ防止帯に弾性が生じ、その弾性を利用して上掛け寝具の位置ズレを防止する。
【実施例】
【０００９】
本考案の実施例を図面によって説明する。
図１及び図２は本考案の当該装置の請求項１を示す背面斜視図で、図１は上掛け寝具３のスナップホック１にズレ防止具１０のスナップホック２の勘合前の状態を示している、上掛け寝具３にはズレ防止具１０を上掛け寝具３に連結する為のスナップホック１が上掛け寝具の中央足元付近に左右対称に一定間隔で装設されている、本実施例では敷き寝具の対象をシングルサイズとしたので一定間隔の長さを１００ｃｍとした、対象の敷き寝具のサイズをセミダブルとした場合は１２０ｃｍ、ダブルの場合は１４０ｃｍとすることが好ましく、ズレ防止具１０の両端のスナップホック２の間隔は上掛け寝具３に装設された２つのスナップホック１と同間隔で、左右２箇所のスナップホック１とスナップホック２を勘合させる事で図２の当該装置の形態が形成される。
【００１０】
図３（ａ）は本考案を示す当該装置の正面図で、（ｂ）はイの部分拡大図である、
図４は本考案の当該装置の側面図で、上掛け寝具３に装設されたスナップホック１とズレ防止具１０に装設されているスナップホック２によって上掛け寝具３にズレ防止具１０が連結されていることを示している。
【００１１】
図５は請求項１のズレ防止具１０の展開図であり、（ａ）は平面図、（ｂ）は正面図、（ｃ）は背面図、（ｄ）は側面図である。
ズレ防止具１０はズレ防止帯４と２つのスナップホック２と布片５によって構成されている、ズレ防止具１０の両端にはズレ防止具１０を上掛け寝具３との連結を解除する時にズレ防止帯４が伸びスナップホック２がズレ防止帯４より脱落する事を防ぐ為の布片５が縫着されていて、スナップホック２はズレ防止帯と布片を貫設して装設されている。
図６（a）は請求項１のズレ防止具１０の平面斜視図であり、（ｂ）はＡ−Ａ‘部拡大断面図。
【００１２】
図１３は請求項１の上掛け寝具ズレ防止装置の実施例で背面斜視図にて表している、上掛け寝具３とズレ防止具１０の間に敷き寝具８を挿入するとズレ防止具１０のズレ防止帯４が敷き寝具の厚さだけ伸び弾性が生じる、この弾性によって敷き寝具８を締め付け、上掛け寝具３の位置ズレを防止している。
また敷き寝具８に対して上掛け布団一枚の使用例も有るが、タオルケットに上掛け布団、毛布に上掛け布団を重ねて使用する事が一般的である、上掛け寝具３を重ねて使用する場合は人肌に近い上掛け寝具３、例えばタオルケットや毛布にこの上掛け寝具ズレ防止装置を施せば、上掛け布団の位置ズレを防ぐ事が出来る。
【００１３】
図７は請求項２のズレ防止具１１の展開図で、(a)は平面図、（b）正面図、（c）は背面図、（d）は側面図である。
ズレ防止具１１は請求項１のズレ防止具１０のズレ防止帯４の長さを延長し、長さの延長したズレ防止帯４と２つのスナップホック２の他に増設された２対のスナップホックのスナップホックａ−１とスナップホックａ−２、スナップホックｂ−１とスナックホックｂ−２と布片５によって構成されている、増設されたナップホック装設部にはスナップホックの脱落を防ぐ為の布片５がズレ防止帯４に縫着されていて、増設されたスナップホックａ−１とスナップホックａ−２更にスナップホックｂ−１とスナップホックｂ−２はズレ防止帯４と布片５を貫設して装設されている、スナップホック２にスナップホックａ−１を勘合させ、もう一つのスナップホック２にスナップホックｂ−１を勘合させる事で図８（ａ）の形態を形成する事ができる。
【００１４】
また、両端のスナップホック２とスナップホックａ−１、もう一つのスナップホック２と
スナップホックｂ−１の勘合を解除すればズレ防止具１１の長さが延長され、図１４の背面斜視図の実施例の様に敷き寝具の同サイズで厚さのある布団やベッドのマット用として使用する事が出来る。
図８（ｂ）は請求項２のズレ防止具１１のＢ−Ｂ’部拡大断面図。
【００１５】
図９は請求項３のズレ防止具１２の展開図である、（ａ）は平面図、（ｂ）は正面図、（ｃ）
背面図、（ｄ）は側面図。
ズレ防止具１２は請求項１のズレ防止具１０のズレ防止帯４の長さを延長し、長さの延長したズレ防止帯４とスナップホック２と増設されたスナップホックａ―１とスナップホックａ−２，スナップホックｂ−１とスナップホックｂ−２と布片５によって構成されていて、スナップホック増設部にスナップホックの脱落を防ぐ為の布片５がズレ防止帯４に縫着されている、増設されたスナップホックａ―１とスナップホックａ−２，スナップホックｂ−１とスナップホックｂ−２はズレ防止帯４と布片５を貫設して装設されている、増設されたスナップホックａ−１とスナップホックａ−２，スナップホックｂ−１とスナップホックｂ−２を勘合させる事で図１０（ａ）の平面斜視図の形態を形成する事ができる。図１０（ｂ）はズレ防止具１２のＣ−Ｃ’部拡大断面図である。
【００１６】
また、両端のスナップホックａ−１とスナップホックａ−２、スナップホックｂ−１とスナップホックｂ−２の勘合を解除すればズレ防止具１２の長さが延長され同サイズで厚さがある図１５の背面斜視図の実施例の様に、厚さのある布団やベッドのマット用として使用する事が出来る。
【００１７】
図１１は請求項４のズレ防止具１３の展開図である、（ａ）は平面図、（ｂ）は正面図、（ｃ）は背面図、（ｄ）は側面図である。
ズレ防止具１３は請求項１のズレ防止具１０のズレ防止帯４の長さを延長し、長さの延長したズレ防止帯４と増設されたスナップホックａ−１とスナップホックａ−２と布片５で構成されていて、スナップホック装設部にはスナップホックの脱落を防ぐ為の布片５がズレ防止帯４に縫着されている、増設されたスナップホックａ−１とスナップホックａ−２
はズレ防止帯４と布片５を貫設して装設されている、増設されたスナップホックａ−１とスナップホックａ−２を勘合させる事で図１２（ａ）の平面斜視図の形態を形成する事ができる。
【００１８】
図１２（ｂ）はズレ防止具１３のＤ−Ｄ’部拡大断面図である。
また、中央部のスナップホックａ−１とスナップホックａ−２の勘合を解除すればズレ防止具１３の長さが延長され同サイズで厚さがある図１６の背面斜視図の実施例の様に厚のある布団やベッドのマット用として使用する事が出来る。
更に図１４、図１５、図１６の実施例の様に、増設した対のスナップホックの勘合を解除して厚さの厚いベッドなどの敷き寝具に使用の場合で、上掛け寝具３の洗濯時には上掛け寝具３のスナップホック１とズレ防止具１１又は１２又は１３のスナップホック２の勘合を解除して上掛け寝具３のみ洗濯すれば良く、ズレ防止具１１又は１２又は１３はそのままベッドとベットフレームの間に差し込んだままにしておき、洗濯後に上掛け寝具３のスナップホック１とズレ防止具１１又は１２又は１３のスナップホック２を勘合するだけで簡単に元に戻せる。
【符号の説明】
【００１９】
１      スナップホック１
２      スナップホック２
３      上掛け寝具（タオルケット・毛布・掛け布団等）
４      ズレ防止具のズレ防止帯。
５      布片。
８      敷き寝具（布団）
９      敷き寝具（ベッドのマットレス）
１０    請求項１のズレ防止具。
１１    請求項２のズレ防止具。
１２    請求項３のズレ防止具。
１３    請求項４のズレ防止具。
ａ−１  増設したスナップホック対の一方
ａ−２  増設したスナップホック対の他方
ｂ−１  増設したスナップホック対の一方
ｂ―２    増設したスナップホック対の他方
イ        イ部拡大図
Ａ―Ａ′  A―Ａ′の拡大断面図
Ｂ―Ｂ′  Ｂ―Ｂ′の拡大断面図
Ｃ―Ｃ′  Ｃ―Ｃ′の拡大断面図
Ｄ−Ｄ′  Ｄ−Ｄ′の拡大断面図
【図１】
0003225081.tif 000003
【図２】
0003225081.tif 000004
【図３】
0003225081.tif 000005
【図４】
0003225081.tif 000006
【図５】
0003225081.tif 000007
【図６】
0003225081.tif 000008
【図７】
0003225081.tif 000009
【図８】
0003225081.tif 000010
【図９】
0003225081.tif 000011
【図１０】
0003225081.tif 000012
【図１１】
0003225081.tif 000013
【図１２】
0003225081.tif 000014
【図１３】
0003225081.tif 000015
【図１４】
0003225081.tif 000016
【図１５】
0003225081.tif 000017
【図１６】
0003225081.tif 000018